(57)【要約】流体移送装置(10)は：流体を流体入口(12a)から、吸引装置(16)に接続可能な流体出口(12b)に移送可能とした本体部(12)と；圧縮流体源(20)に接続可能であり、流体を流体移送装置(10)に移送可能とした流体インジェクタ(14)と；を備える。【選択図】図２
2018506667.tif 000002
【特許請求の範囲】
【請求項１】
流体移送装置であって：
流体入口及び流体出口を有し、前記流体出口が吸引装置に接続可能であり、流体を前記流体入口から前記流体出口に移送可能とした本体部と；
圧縮流体源に接続可能であり、流体を前記移送装置に移送可能とした流体インジェクタと、
を備える流体移送装置。
【請求項２】
前記流体入口が前記本体部の下端に向けて配置され、前記流体出口が前記本体部の上端に向けて配置されている、請求項１記載の装置。
【請求項３】
前記本体部が中空である、請求項１又は２に記載の装置。
【請求項４】
前記本体部の上端の少なくとも一部が閉じており、前記本体部の下端が開いている、請求項１〜３のいずれか一項に記載の装置。
【請求項５】
前記本体部の上端が前記流体出口を画定し、前記本体部の下端が前記流体入口を画定する、請求項１〜４のいずれか一項に記載の装置。
【請求項６】
前記本体部の流体出口が、該出口を前記吸引装置に接続させるためのコネクタを備える、請求項１〜５のいずれか一項に記載の装置。
【請求項７】
前記本体部が剛性である、請求項１〜６のいずれか一項に記載の装置。
【請求項８】
前記流体インジェクタが、前記本体部の内部又は外部、あるいは前記流体入口の隣接領域に圧縮流体を移動させるよう構成されている、請求項１〜７のいずれか一項に記載の装置。
【請求項９】
前記流体インジェクタが、圧縮流体の１つ以上のジェットを前記装置に移送するよう構成されている、請求項１〜８のいずれか一項に記載の装置。
【請求項１０】
前記流体インジェクタが、圧縮流体の複数のジェットを複数の異なる方向又は軌道に方向付けるよう構成されている、請求項９に記載の装置。
【請求項１１】
前記流体インジェクタが、前記本体部の上端に向けて配置される、請求項１〜１０のいずれか一項に記載の装置。
【請求項１２】
前記流体インジェクタが、前記本体部における少なくとも一部が閉じられた上部に配置されている、請求項４〜１１のいずれか一項に記載の装置。
【請求項１３】
前記流体インジェクタが、該インジェクタを前記圧縮流体源に接続させるためのコネクタを備える、請求項１〜１２のいずれか一項に記載の装置。
【請求項１４】
前記流体インジェクタが、前記本体部の下端に向けて配置されている、請求項４〜１０のいずれか一項に記載の装置。
【請求項１５】
前記流体インジェクタが、前記装置の本体部の少なくとも一部を包囲している、請求項１４に記載の装置。
【請求項１６】
前記流体インジェクタが複数のノズルを有する環状体であり、各ノズルは圧縮流体を前記装置に移送するために操作可能である、請求項１４又は１５に記載の装置。
【請求項１７】
前記流体インジェクタが、圧縮流体を、前記本体部の流体入口に近づくよう、あるいは、該流体入口から離れるように方向付けるものである、請求項１４〜１６のいずれか一項に記載の装置。
【請求項１８】
前記流体インジェクタが、該インジェクタを前記圧縮流体源に接続するための１つ以上のコネクタを備える、請求項１４〜１７のいずれか一項に記載の装置。
【請求項１９】
前記コネクタが、２つの入口と、１つの出口とを備える、請求項１４〜１８のいずれか一項に記載の装置。
【請求項２０】
第１流体インジェクタ及び第２流体インジェクタを備え、前記第１流体インジェクタが前記本体部の上端に向けて配置され、前記第２流体インジェクタが前記本体部の下端に向けて配置されている、請求項１〜１９のいずれか一項に記載の装置。
【請求項２１】
前記圧縮流体源が、圧縮気体源、高圧水源、あるいは圧縮気体及び圧縮水よりなる混合物の供給源である、請求項１〜２０のいずれか一項に記載の装置。
【請求項２２】
流体移送システムであって：
流体入口及び流体出口を有し、前記流体出口が吸引装置に接続可能であり、流体を前記流体入口から前記流体出口に移送可能とした本体部、並びに、圧縮流体源に接続可能であり、流体を前記装置に移送可能とした流体インジェクタ、を備える流体移送装置と；
前記流体出口に接続され、前記本体部を通じて流体を前記流体入口から前記流体出口に移送可能である吸引装置と； 
前記流体インジェクタに接続されることで、圧縮流体を装置に移送する圧縮流体源と；
を備えるシステム。
【請求項２３】
前記吸引装置が、前記流体移送装置を通じて移送された流体を貯蔵する貯蔵タンクを備える、請求項２２に記載のシステム。
【請求項２４】
前記流体移送システムが骨組部材を更に備え、前記骨組部材が前記流体移送装置を支持するように構成される、請求項２２又は２３に記載のシステム。
【請求項２５】
前記骨組部材が、前記流体移送装置を前記骨組部材に対して昇降できるように構成される、請求項２４に記載のシステム。
【請求項２６】
前記骨組部材が、前記流体移送装置に対して所定位置に固定され、前記骨組部材及び前記流体移送装置が地面に対して可動である、請求項２４又は２５に記載のシステム。
【請求項２７】
サブマージ物質を分散及び移送させる方法であって：
流体入口及び流体出口を有し、前記流体出口が吸引装置に接続可能であり、流体を前記流体入口から前記流体出口に移送可能とした本体部、並びに、圧縮流体源に接続可能であり、圧縮流体を前記移送装置に移送可能な流体インジェクタ、を備える流体移送装置を設けるステップと；
吸引装置を前記流体移送装置の前記流体出口に接続するステップと；
圧縮流体源を前記流体移送装置の前記流体インジェクタに接続するステップと；
前記サブマージ物質を分散及び移送させるよう、前記流体移送装置の前記流体入口を物質周辺に配置するステップと；
前記サブマージ物質を圧縮流体により前記流体インジェクタから分散させるステップと；
分散した前記物質を、前記吸引装置を備える流体移送装置を通じて移送するステップと；
を備える方法。
【請求項２８】
物質分散及び移送装置であって：
流体入口及び流体出口を有し、前記流体出口が吸引装置に接続可能であり、流体を前記流体入口から前記流体出口に移送可能とした本体部と；
圧縮流体源に接続可能であり、前記流体インジェクタが圧縮流体を前記装置に移送可能とした流体インジェクタと；
前記本体部の前記流体出口に接続され、前記本体部を通じて流体を前記流体入口から前記流体出口に移送可能とした吸引装置と；
前記流体インジェクタに接続されることで圧縮流体を装置に移送させ、前記圧縮流体によってサブマージ物質の分散を生じさせる圧縮流体源と；
を備える装置。
【請求項２９】
サブマージ物質を井戸穴から分散及び移送させる方法であって：
流体入口及び流体出口を有し、前記流体出口が吸引装置に接続可能であり、流体を前記流体入口から前記流体出口に移送可能とした本体部、並びに、圧縮流体源に接続可能であり、圧縮流体を前記移送装置に移送可能とした流体インジェクタ、を備える流体移送装置を設けるステップと；
吸引装置を前記流体移送装置の前記流体出口に接続するステップと；
圧縮流体源を前記流体移送装置の前記流体インジェクタに接続するステップと；
前記サブマージ物質を分散及び移送させるために井戸内における前記流体移送装置の前記流体入口を物質周辺に配置するステップと；
前記サブマージ物質を圧縮流体により前記流体インジェクタから分散させるステップと；
分散した前記物質を、前記吸引装置を備える流体移送装置を通じて移送するステップと；
を備える方法。
【請求項３０】
前記流体移送装置を設けるステップが、本体部を有する流体移送装置を設けることを備え、前記流体移送装置の長手方向軸線と直交する平面内における横断面形状が前記井戸穴の形状に適合する、請求項２９に記載の方法。
【請求項３１】
前記流体移送装置を設けるステップが、実質的に前記井戸穴に適合する外周形状を有する流体移送装置を設けることを備える、請求項２９に記載の方法。
【請求項３２】
サブマージ物質を構造体から分散及び移送させる方法であって：
流体移送装置として、流体入口及び流体出口を有し、前記流体出口が吸引装置に接続可能であり、流体を前記流体入口から前記流体出口に移送可能とした本体部、並びに、圧縮流体源に接続可能であり、圧縮流体を流体移送装置に移送可能とした流体インジェクタ、を備える流体移送装置を設けるステップと；
前記吸引装置を前記流体移送装置の流体出口に接続するステップと；
前記圧縮流体源を前記流体移送装置の流体インジェクタに接続するステップと；
前記サブマージ物質を分散及び移送させるよう、前記流体移送装置の流体入口を物質周辺に配置するステップと；
前記サブマージ物質を圧縮流体により前記流体インジェクタから分散させるステップと；
分散した前記物質を、前記吸引装置を備える流体移送装置を通じて移送するステップと；
を備える方法。
【発明の詳細な説明】
【技術分野】
【０００１】
本発明は、物質の移送装置及びその使用方法に関する。また、本発明は、物質の移動システム及びその使用方法に関する。さらに、本発明は、物質の分散及び移送装置及びその使用方法に関する。
【背景技術】
【０００２】
シルト、ヘドロなどの物質を構造物又は井戸から除去することは、時間及び費用のかかる課題である。一般にシルト又はヘドロは、構造物又は井戸の水頭下に沈下している。シルト又はヘドロの除去においては、構造物又は井戸から全ての水を取り除いた後にシルト又はヘドロを除去することができる。これは、始めに全ての水頭を汲み出すことで、シルト又はヘドロを暴露させた後に、それらを除去することを要するため、別個のポンプ又はクリーナ装置を要しかねない。
【発明の概要】
【０００３】
上述した工程は、時間及び費用がかかる。
【０００４】
発明者は、既知の流体移送装置の欠点を認識している。
【０００５】
本発明は、その第１態様において、流体移送装置を提供するものであって、該装置は：
流体入口及び流体出口を有し、流体出口が吸引装置に接続可能であり、流体を前記流体入口から前記流体出口に移送可能とした本体部と；
圧縮流体源に接続可能であり、流体を移送装置に移送可能とした流体インジェクタと；
を備える。
【０００６】
流体インジェクタは、圧縮流体を装置に移送する構成とすることができる。流体インジェクタは、1つ以上のジェットを装置に移送する構成とすることができる。
【０００７】
流体入口は、本体部の下端に向けて配置し、流体出口は本体部の上端に向けて配置することができる。このような構成下、使用時において、流体は、吸引装置により装置の本体部に吸い上げられ、流体入口から本体部を通り流体出口から排出される。
【０００８】
本体部は、中空であってもよい。本体部は、実質的に中空であってもよい。
【０００９】
本体部は、円柱形状であってもよい。その代わりに、本体部は、直方体形状であってもよい。
【００１０】
本体部の下端は開いていてもよい。本体部は、その下部において開放端部型としてもよい。本体部の下部は、流体入口を画定することができる。
【００１１】
本体部の上端は、開いていてもよい。本体部は、その上部において開放端部型としてもよい。本体部の上部は、流体出口を画定することができる。
【００１２】
本体部の流体出口は、該出口を吸引装置に接続させるためのコネクタを備えることができる。コネクタは、取り付け金具であってもよい。接続点は、本体部に取り付けることができる。コネクタは、本体部に固定的に取り付けることができる。コネクタは、本体部に溶接することができる。
【００１３】
本体部の上端は、吸引装置に接続可能とすることができる。本体部の上端は、その上端を吸引装置に接続させるためのコネクタを備えることができる。コネクタは、取り付け金具であってもよい。接続点は、本体部に取り付けることができる。コネクタは、本体部に固定的に取り付けることができる。コネクタは、本体部に溶接することができる。
【００１４】
吸引装置は、本体部の流体出口に解放可能に接続させることができる。吸引装置は、本体部に解放可能に接続させることができる。吸引装置は、本体部のコネクタに解放可能に接続させることができる。
【００１５】
流体出口のコネクタは、ホースと接続する構成とすることができる。ホースは、ポリ塩化ビニル（ＰＶＣ）、ゴム、ウレタン又はポリプロピレンから形成することができる。ホースは、強化金属高密度ポリエチレン（ＨＤＰＥ）であってもよい。ホースは、可撓性であってもよい。
【００１６】
本体部の上端の少なくとも一部は、閉じていてもよい。
【００１７】
本体部は、開放下部と、少なくとも一部が閉じた上部とを有する円柱状部材であってもよい。流体出口は、本体部の少なくとも一部が閉じた上部に配置することができる。
【００１８】
本体部は、上面を有していてもよい。流体出口は、本体部の上面に配置することができる。流体出口は、本体部の上面に設けられる開口部であってもよい。流体出口は、本体部の上面に設けられる１つ以上の開口部であってもよい。
【００１９】
本体部は、長手方向軸線を有していてもよい。
【００２０】
本体部は、その長手方向軸線と直交する平面内で円形断面を有していてもよい。本体部の寸法は、125 mm〜1000 mmであってもよい。本体部の寸法は、250 mm〜900 mmであってもよい。
【００２１】
本体部は、その長手方向軸線と直交する平面内で矩形断面を有していてもよい。本体部は、その長手方向軸線と直交する平面内で長方形断面を有していてもよい。本体部は、その長手方向軸線と直交する平面内で異形断面を有していてもよい。
【００２２】
本体部は、鋼、軟鋼などの金属製とすることができる。代替的には、本体部は、ゴム又はプラスチック材料から形成することができる。本体部は、高密度ポリエチレン（ＨＤＰＥ）から形成することができる。
【００２３】
本体部は、剛性とすることができる。本体部は、操作中に流体入口と流体出口との間を流体が通過する間、硬度を保つ構成とすることができる。本体部は、吸引装置の操作中に硬度を保つ構成とすることができる。
【００２４】
流体インジェクタは、本体部に圧縮流体を移動させる構成とすることができる。流体インジェクタは、本体部の内部に圧縮流体を移動させる構成とすることができる。流体インジェクタは、本体部の外部に圧縮流体を移動させる構成とすることができる。流体インジェクタは、流体入口の隣接領域に圧縮流体を移動させる構成とすることができる。流体インジェクタは、流体出口の隣接領域に圧縮流体を移動させる構成とすることができる。このような構成において、流体インジェクタは、流体を装置の本体部に送入する。流体インジェクタが圧縮流体源に接続されると、流体インジェクタは、流体のジェットとして流体を本体部に送入する。
【００２５】
流体インジェクタは、流体又は圧縮流体の少なくとも１つのジェットを装置に移送する構成とすることができる。流体インジェクタは、圧縮流体のジェットを本体部に移送する構成とすることができる。流体インジェクタは、圧縮流体のジェットを本体部の内部に移送する構成とすることができる。流体インジェクタは、圧縮流体のジェットを本体部の外部に移送する構成とすることができる。流体インジェクタは、流体入口の隣接領域に圧縮流体を移動させる構成とすることができる。流体インジェクタは、流体出口の隣接領域に圧縮流体を移動させる構成とすることができる。
【００２６】
流体インジェクタは、圧縮流体の複数のジェットを装置に移送する構成とすることができる。流体インジェクタは、圧縮流体の複数のジェットを本体部に移送する構成とすることができる。流体インジェクタは、圧縮流体の複数のジェットを本体部の内部に移送する構成とすることができる。流体インジェクタは、圧縮流体の複数のジェットを本体部の外部に移送する構成とすることができる。流体インジェクタは、流体入口の隣接領域に圧縮流体の複数のジェットを移動させる構成とすることができる。流体インジェクタは、流体出口の隣接領域に圧縮流体の複数のジェットを移動させる構成とすることができる。流体インジェクタは、圧縮流体の複数のジェットを複数の異なる方向に方向付ける構成とすることができる。すなわち、流体インジェクタは、圧縮流体の複数のジェットを、1つ以上の異なる軌道に沿って、方向付ける構成とすることができる。
【００２７】
流体インジェクタは、本体の上端に向けて配置してもよい。流体インジェクタは、本体部における少なくとも一部が閉じられた上部に配置してもよい。流体インジェクタは、本体部の上面に設けてもよい。
【００２８】
装置は、第１流体インジェクタ及び第２流体インジェクタを備えることができ、第１流体インジェクタは本体部の上端に向けて配置することができ、第２流体インジェクタは本体部の下端に向けて配置することができる。各流体インジェクタは、流体又は圧縮流体の少なくとも１つのジェットを装置に移送するように構成することができる。各流体インジェクタは、圧縮流体のジェットを本体部に移送するように構成することができる。第２流体インジェクタは、装置の本体部の内部又は外部に配置することができる。
【００２９】
本体部の流体インジェクタは、該インジェクタを圧縮流体源に接続させるためのコネクタを備えることができる。該コネクタは、取り付け金具であってもよい。コネクタは、ゴム又はプラスチック継手であってもよい。接続点は、本体部に取り付けることができる。コネクタは、本体部に固定的に取り付けることができる。コネクタは、本体部に溶接することができる。
【００３０】
本体部の上端は、該上端を圧縮流体源に接続させるためのコネクタを備えることができる。そのコネクタは、取り付け金具であってもよい。コネクタは、ゴム又はプラスチック継手であってもよい。接続点は、本体部に取り付けることができる。コネクタは、本体部に固定的に取り付けることができる。コネクタは、本体部に溶接することができる。
【００３１】
圧縮流体源は、本体部の流体インジェクタに解放可能に接続させることができる。圧縮流体源は、本体部に解放可能に接続させることができる。圧縮流体源は、本体部のコネクタに解放可能に接続させることができる。
【００３２】
流体インジェクタは、装置の本体部の側部に配置することができる。流体インジェクタは、装置の本体部の下面に向けて配置することができる。
【００３３】
流体インジェクタは、装置の本体部の少なくとも一部を包囲することができる。流体インジェクタは、装置の本体部を包囲することができる。流体インジェクタは、装置の本体部の下部の少なくとも一部を包囲することができる。流体インジェクタは、装置の本体部の流体入口の少なくとも一部を包囲することができる。流体インジェクタは、装置の本体部の流体入口を包囲することができる。流体インジェクタは、装置の本体部の流体入口の少なくとも一部を包囲することができる。使用時において、流体インジェクタは、圧縮流体又はそのジェットを、本体部の流体入口周りの装置に移送するように構成することができる。
【００３４】
流体インジェクタは、環状体形状を有してもよい。環状体は、装置の本体部の流体入口に隣接して配置することができる。環状体は、複数のノズルを備えることができ、各ノズルは、装置に圧縮流体を移送するよう操作可能である。流体インジェクタは、円管形状を有してもよい。円管は、装置の本体部の流体入口に隣接して配置することができる。流体インジェクタは、複数のノズルを備えることができ、各ノズルは、装置に圧縮流体を移送するように操作可能である。円管は、複数のノズルを備えることがででき、各ノズルは、装置に圧縮流体を移送するように操作可能である。
【００３５】
圧縮流体は、流体又は圧縮流体のジェットとして装置に移送することができる。圧縮流体のジェットは、一方向又は複数の方向に方向付けることができる。流体インジェクタは、圧縮流体を、前記本体部の流体入口に近づくように、あるいは、該流体入口から離れるように方向付けることができる。流体インジェクタは、圧縮流体のジェットを、前記本体部の流体入口に近づくように、あるいは、該流体入口から離れるように方向付けることができる。
【００３６】
流体インジェクタのコネクタは、円柱状部材であってもよい。円柱状部材は、長手方向軸線を有していてもよい。コネクタは、その長手方向軸線が、本体部の長手方向軸線と実質的に平行となるように、装置の本体部と共に配置される。
【００３７】
流体インジェクタは、該インジェクタを１つ以上の圧縮流体源に接続するための１つ以上のコネクタを備えることができる。このような構成において、圧縮流体源は、装置に移送する前に混合させることができる。各コネクタの入口は、封止可能とすることができる。
【００３８】
コネクタは、Ｙ字型パイプであってもよい。このような構成において、コネクタは、２つの入口又は１つの出口を備える。コネクタの出口は、流体インジェクタと接続することができる。
【００３９】
装置は、２つ以上の流体インジェクタを備えることができる。装置は、複数の流体インジェクタを備えることができる。
【００４０】
圧縮流体源は、圧縮気体源であってもよい。圧縮流体源は、水であってもよい。圧縮流体源は、高圧水であってもよい。圧縮流体源は、圧縮気体及び圧縮水よりなる混合物であってもよい。
【００４１】
流体移送装置は、吸引装置を更に備えることができ、吸引装置は、流体入口と流体出口との間の装置の本体部を通じて、流体（分散物を含む）を吸い上げるよう操作可能とすることができる。流体移送装置は、本体部と吸引装置との間に接続されるホースを更に備えることができる。
【００４２】
流体移送装置は、圧縮流体源を更に備えることができ、圧縮流体源は、圧縮流体を装置に移送するよう操作可能とすることができる。圧縮流体源は、１つ以上の異なる圧縮流体を装置に移送するように構成することができる。流体移送装置は、本体部と圧縮流体源との間の１つ以上のホースを更に備えることができる。
【００４３】
流体移送装置は、骨組部材を更に備えることができ、該骨組部材は、流体移送装置を支持するように構成される。流体移送装置は、骨組部材から吊り下げることができる。流体移送装置は、骨組部材に対して可動とすることができる。骨組部材は、流体移送装置に対して所定位置に固定することができ、骨組部材及び流体移送装置は、地面、構造物、井戸などに対して可動とすることができる。骨組部材は、該骨組部材に対して流体移送装置を昇降させることができる構成とすることができる。骨組部材は、流体移送装置を動かす装置を備えることができる。骨組部材は、１つ以上のローラーホイールを備えることができる。
【００４４】
本発明は、その第２態様において、流体移送システムを提供するものであって、該システムは：
本発明の第１態様に係る流体移送装置と；
本体部の流体出口に接続され、本体部を通じて流体を流体入口から流体出口に移送可能である吸引装置と； 
流体インジェクタに接続されることで、圧縮流体を装置に移送する圧縮流体源と；
を備える。
【００４５】
吸引装置は、ポンプ又は圧縮機であってもよい。吸引装置は、ブロワ・ポンプであってもよい。吸引装置は、エアムーバー又はポンプであってもよい。エアムーバー又はポンプは、空気用ベンチュリ技術を用いてもよい。
【００４６】
吸引装置は、流体移送装置を通じて移送された流体及び物質を貯蔵する貯蔵タンクを備えることができる。
【００４７】
吸引装置は、車両に取り付けることができ、あるいは、車両の一部とすることができる。
【００４８】
流体移送システムは、骨組部材を更に備え、骨組部材が流体移送装置を支持する構成とすることができる。流体移送装置は、骨組部材から吊り下げることができる。流体移送装置は、骨組部材に対して可動とすることができる。骨組部材は、流体移送装置に対して所定位置に固定することができ、骨組部材及び流体移送装置は、地面に対して可動とすることができる。骨組部材は、流体移送装置を骨組部材に対して昇降できる構成とすることができる。骨組部材は、流体移送装置を動かす装置を備えることができる。骨組部材は、１つ以上のローラーホイールを備えることができる。
【００４９】
本発明は、その第３態様おいて、物質を分散及び移送させる装置を提供するものであって、該装置は：
本発明の第１態様に係る流体移送装置と；
本体部の流体出口に接続され、本体部を通じて流体を流体入口から流体出口に移送可能とした吸引装置と；
流体インジェクタに接続されることで圧縮流体を装置に移送させ、圧縮流体によってサブマージ物質の分散を生じさせる圧縮流体源と；
を備える。
【００５０】
本発明は、その第４態様において、物質を分散及び移送させる方法を提供するものであって、該方法は：
流体入口及び流体出口を有し、流体出口が吸引装置に接続可能であり、流体を流体入口から流体出口に移送可能とした本体部、並びに、圧縮流体源に接続可能であり、圧縮流体を移送装置に移送可能な流体インジェクタ、を備える流体移送装置を設けるステップと；
吸引装置を流体移送装置の流体出口に接続するステップと；
圧縮流体源を流体移送装置の流体インジェクタに接続するステップと；
サブマージ物質を分散及び移送させるよう、流体移送装置の流体入口を物質周辺に配置するステップと；
サブマージ物質を圧縮流体により流体インジェクタから分散させるステップと；
分散した物質を、吸引装置を備える流体移送装置を通じて移送するステップと；
を備える。
【００５１】
本発明は、その第５態様において、サブマージ物質を井戸穴から分散及び移送させる方法を提供するものであって、該方法は：
流体入口及び流体出口を有し、流体出口が吸引装置に接続可能であり、流体を流体入口から流体出口に移送可能とした本体部、並びに、圧縮流体源に接続可能であり、圧縮流体を移送装置に移送可能である流体インジェクタを備える流体移送装置を設けるステップと；
吸引装置を流体移送装置の流体出口に接続するステップと；
圧縮流体源を流体移送装置の流体インジェクタに接続するステップと；
サブマージ物質を分散及び移送させるために井戸内における流体移送装置の流体入口を物質周辺に配置するステップと；
サブマージ物質を圧縮流体により流体インジェクタから分散させるステップと；
分散した物質を、吸引装置を備える流体移送装置を通じて移送するステップと；
を備える。
【００５２】
流体移送装置の長手方向軸線平面に対する横断面は、その形状が、井戸穴の形状に実質的に適合するものであってもよい。
【００５３】
流体移送装置の本体部の外周は、井戸穴の寸法に実質的に適合するような寸法することができる。流体移送装置の長手方向軸線と直交する平面内における横断面形状は、井戸穴の形状に実質的に適合するものであってもよい。このような構成において、流体移送装置の本体部は、井戸穴の壁部と緊密に接触していてもよい。
【００５４】
流体移送装置を設けるステップは、本体部を有する流体移送装置を設けることを備え、流体移送装置の長手方向軸線と直交する平面内における横断面形状は、井戸穴の形状に適合するものであってもよい。寸法、特に流体移送装置の本体部の外周形状は、井戸穴に実質的に適合するものとすることができる。このような構成において、装置の本体部は、井戸穴と「密嵌」する構成を有する。
【００５５】
流体移送装置の本体部は、閉鎖上面及び閉鎖上部を備えることができる。流体移送装置の本体部は、閉鎖上面又は閉鎖上部、並びに解放下部を備えることができる。流体移送装置の本体部は、水頭下に沈ませることができる。
【００５６】
流体入口は本体部の下端に向けて配置することができ、流体出口は本体部の上端に向けて配置することできる。このような構成下、使用時において、流体は吸引装置により、装置の本体部に吸い上げられ、流体入口から本体部を通り、流体出口から排出される。
【００５７】
本体部は、中空であってもよい。本体部は、実質的に中空であってもよい。
【００５８】
本体部は、円柱形状であってもよい。本体部は、直方体形状であってもよい。井戸穴は、実質的に円柱形状であってもよい。
【００５９】
本体部の下端は開いていてもよい。本体部は、その下部において開放端部型としてもよい。本体部の下部は、流体入口を画定することができる。
【００６０】
本体部の上端は、開いていてもよい。本体部は、その上部において開放端部型としてもよい。本体部の上部は、流体出口を画定することができる。
【００６１】
本体部の流体出口は、該出口を吸引装置に接続させるためのコネクタを備えることができる。該コネクタは、取り付け金具であってもよい。接続点は、本体部に取り付けることができる。コネクタは、本体部に固定的に取り付けることができる。コネクタは、本体部に溶接することができる。
【００６２】
本体部の上端は、吸引装置に接続可能とすることができる。本体部の上端は、その上端を吸引装置に接続させるためのコネクタを備えることができる。該コネクタは、取り付け金具であってもよい。接続点は、本体部に取り付けることができる。コネクタは、本体部に固定的に取り付けることができる。コネクタは、本体部に溶接することができる。
【００６３】
吸引装置は、本体部の流体出口に解放可能に接続させることができる。該吸引装置は、本体部に解放可能に接続させることができる。吸引装置は、本体部のコネクタに解放可能に接続させることができる。 
【００６４】
流体出口のコネクタは、ホースと接続する構成とすることができる。ホースは、ポリ塩化ビニル（ＰＶＣ）、ゴム、ウレタン又はポリプロピレンから形成することができる。ホースは、強化金属高密度ポリエチレン（ＨＤＰＥ）であってもよい。ホースは、可撓性であってもよい。
【００６５】
本体部の上端の少なくとも一部は、閉じていてもよい。
【００６６】
本体部は、開放下部及び少なくとも一部が閉じた上部を有する円柱状部材であってもよい。流体出口は、本体部の少なくとも一部が閉じた上部に配置することができる。
【００６７】
本体部は、上面を有していてもよい。流体出口は、本体部の上面に配置することができる。流体出口は、本体部の上面に設けられる開口部であってもよい。流体出口は、本体部の上面に設けられる１つ以上の開口部であってもよい。
【００６８】
本体部は、長手方向軸線を有していてもよい。
【００６９】
本体部は、その長手方向軸線と直交する平面内で円形断面を有していてもよい。本体部の寸法は、125 mm〜1000 mmであってもよい。本体部の寸法は、250 mm〜900 mmであってもよい。
【００７０】
本体部は、その長手方向軸線と直交する平面内で矩形断面を有していてもよい。本体部は、その長手方向軸線と直交する平面内で長方形断面を有していてもよい。本体部は、その長手方向軸線と直交する平面内で異形断面を有していてもよい。
【００７１】
井戸穴は、矩形穴を有していてもよい。井戸穴は、方形穴を有していてもよい。
【００７２】
本体部は、鋼、軟鋼などの金属から形成することができる。代替的に、本体部は、ゴム又はプラスチック材料から形成することができる。本体部は、高密度ポリエチレン（ＨＤＰＥ）から形成することができる。
【００７３】
本体部は、剛性とすることができる。本体部は、操作中に流体入口と流体出口との間を流体が通過する間、硬度を保つ構成とすることができる。
【００７４】
流体インジェクタは、圧縮流体を本体部に移送する構成とすることができる。流体インジェクタは、圧縮流体を本体部の内部に移送する構成とすることができる。流体インジェクタは、本体部の外部に圧縮流体を移動させる構成とすることができる。流体インジェクタは、流体入口の隣接領域に圧縮流体を移動させる構成とすることができる。流体インジェクタは、流体出口の隣接領域に圧縮流体を移動させる構成とすることができる。このような構成において、流体インジェクタは、流体を装置の本体部に送入する。流体インジェクタが圧縮流体源に接続されると、流体インジェクタは、流体のジェットとして流体を本体部に送入する。
【００７５】
流体インジェクタは、圧縮流体の少なくとも１つのジェットを装置に移送する構成とすることができる。流体インジェクタは、圧縮流体のジェットを本体部に移送する構成とすることができる。流体インジェクタは、圧縮流体のジェットを本体部の内部に移送する構成とすることができる。流体インジェクタは、本体部の外部に圧縮流体のジェットを移動させる構成とすることができる。流体インジェクタは、流体入口の隣接領域に圧縮流体のジェットを移動させる構成とすることができる。流体インジェクタは、流体出口の隣接領域に圧縮流体のジェットを移動させる構成とすることができる。
【００７６】
流体インジェクタは、圧縮流体の複数のジェットを装置に移送する構成とすることができる。流体インジェクタは、圧縮流体の複数のジェットを本体部に移送する構成とすることができる。流体インジェクタは、圧縮流体の複数のジェットを本体部の内部に移送する構成とすることができる。流体インジェクタは、圧縮流体の複数のジェットを本体部の外部に移送する構成とすることができる。流体インジェクタは、流体入口の隣接領域に圧縮流体の複数のジェットを移動させる構成とすることができる。流体インジェクタは、流体出口の隣接領域に圧縮流体の複数のジェットを移動させる構成とすることができる。流体インジェクタは、圧縮流体の複数のジェットを複数の異なる方向に方向付ける構成とすることができる。すなわち、流体インジェクタは、圧縮流体の複数のジェットを、１つ以上の異なる軌道に沿って、方向付ける構成とすることができる。
【００７７】
流体インジェクタは、本体の上端に向けて配置されていてもよい。流体インジェクタは、本体部における少なくとも一部が閉じられた上部に配置されていてもよい。流体インジェクタは、本体部の上面に設けられていてもよい。
【００７８】
本体部の流体インジェクタは、該インジェクタを圧縮流体源に接続させるためのコネクタを備えることができる。コネクタは、取り付け金具であってもよい。コネクタは、ゴム又はプラスチック継手であってもよい。接続点は、本体部に取り付けることができる。コネクタは、本体部に固定的に取り付けることができる。コネクタは、本体部に溶接することができる。
【００７９】
本体部の上端は、該上端を圧縮流体源に接続させるためのコネクタを備えることができる。コネクタは、取り付け金具であってもよい。コネクタは、ゴム又はプラスチック継手であってもよい。接続点は、本体部に取り付けることができる。コネクタは、本体部に固定的に取り付けることができる。コネクタは、本体部に溶接することができる。
【００８０】
圧縮流体源は、本体部の流体インジェクタに解放可能に接続させることができる。圧縮流体源は、本体部に解放可能に接続させることができる。圧縮流体源は、本体部のコネクタに解放可能に接続させることができる。
【００８１】
流体インジェクタは、装置の本体部の側部に配置することができる。流体インジェクタは、装置の本体部の下面に向けて配置することができる。
【００８２】
流体インジェクタは、装置の本体部の少なくとも一部を包囲することができる。流体インジェクタは、装置の本体部を包囲することができる。流体インジェクタは、装置の本体部の下部の少なくとも一部を包囲することができる。流体インジェクタは、装置の本体部の流体入口の少なくとも一部を包囲することができる。流体インジェクタは、装置の本体部の流体入口を包囲することができる。流体インジェクタは、装置の本体部の流体入口の少なくとも一部を包囲することができる。使用時において、流体インジェクタは、圧縮流体を、本体部の流体入口周りの装置に移送する構成とすることができる。
【００８３】
流体インジェクタは、環状体形状を有していてもよい。環状体は、装置の本体部の流体入口に隣接して配置することができる。流体インジェクタは、複数のノズルを備えることができ、各ノズルは、装置に圧縮流体を移送するよう操作可能である。環状体は、複数のノズルを備えることができ、各ノズルは、装置に圧縮流体を移送するように操作可能である。円管形状を有していてもよい。圧縮流体は、流体又は圧縮流体のジェットとして装置に移送することができる。圧縮流体のジェットは、一方向又は複数の方向に方向付けることができる。流体インジェクタは、圧縮流体を、本体部の流体入口に近づくよう、あるいは、該流体入口から離れるように方向付ける構成とすることができる。流体インジェクタは、圧縮流体のジェットを、本体部の流体入口に近づくよう、あるいは、該流体入口から離れるように方向付ける構成とすることができる。
【００８４】
流体インジェクタのコネクタは、円柱状部材であってもよい。円柱状部材は、長手方向軸線を有していてもよい。コネクタは、その長手方向軸線が、本体部の長手方向軸線と実質的に平行となるように、装置の本体部と共に配置される。
【００８５】
流体インジェクタは、該インジェクタを1つ以上の圧縮流体源に接続するための１つ以上のコネクタを備えることができる。このような構成において、圧縮流体源は、装置に移送する前に混合させることができる。各コネクタの入口は、封止可能とすることができる。
【００８６】
コネクタは、Ｙ字型パイプであってもよい。このような構成において、コネクタは、２つの入口又は１つの出口を備える。コネクタの出口は、流体インジェクタと接続することができる。
【００８７】
装置は、２つ以上の流体インジェクタを備えることができる。装置は、複数の流体インジェクタを備えることができる。
【００８８】
圧縮流体源は、圧縮気体源であってもよい。圧縮流体源は、水であってもよい。圧縮流体源は、高圧水であってもよい。圧縮流体源は、圧縮気体及び圧縮水よりなる混合物であってもよい。
【００８９】
流体移送装置は、吸引装置を更に備えることができ、吸引装置は、流体入口と流体出口との間の装置の本体部を通じて、流体を吸い上げるよう操作可能とすることができる。流体移送装置は、本体部と吸引装置との間に接続されるホースを更に備えることができる。
【００９０】
流体移送装置は、圧縮流体源を更に備えることができ、圧縮流体源は、圧縮流体を装置に移送するよう操作可能とすることができる。圧縮流体源は、１つ以上の異なる圧縮流体を装置に移送する構成とすることができる。流体移送装置は、本体部と圧縮流体源との間の１つ以上のホースを更に備えることができる。
【００９１】
流体移送装置は、骨組部材を更に備えることができ、該骨組部材は、流体移送装置を支持するように構成される。流体移送装置は、骨組部材から吊り下げることができる。流体移送装置は、骨組部材に対して可動とすることができる。骨組部材は、流体移送装置に対して所定位置に固定することができ、骨組部材及び流体移送装置は、地面に対して可動とすることができる。骨組部材は、該骨組部材に対して流体移送装置を昇降させることができる構成とすることができる。骨組部材は、流体移送装置を動かす装置を備えることができる。骨組部材は、１つ以上のローラーホイールを備えることができる。
【００９２】
本発明は、その第６態様において、サブマージ物質を構造体から分散及び移送させる方法を提供するものであって、該方法は：
流体移送装置として、流体入口及び流体出口を有し、流体出口が吸引装置に接続可能であり、流体を流体入口から流体出口に移送可能とした本体部、並びに、
圧縮流体源に接続可能であり、圧縮流体を流体移送装置に移送可能とした流体インジェクタを備える流体移送装置を設けるステップと；
吸引装置を流体移送装置の流体出口に接続するステップと；
圧縮流体源を流体移送装置の流体インジェクタに接続するステップと；
サブマージ物質を分散及び移送させるよう、流体移送装置の流体入口を物質周辺に配置するステップと；
サブマージ物質を圧縮流体により流体インジェクタから分散させるステップと；
分散した物質を、吸引装置を備える流体移送装置を通じて移送するステップと；
を備える。
【００９３】
構造物は、タンクであってもよい。
【００９４】
流体移送装置の本体部は、閉鎖上面又は閉鎖上部を備えることができる。流体移送装置の本体部は、閉鎖上面又は閉鎖上部、並びに解放下部を備えることができる。流体移送装置の本体部は、水頭下に沈ませることができる。
【００９５】
上述した代替的な手段及び異なる実施形態は、各態様及び各実施形態に準用することができる。
【００９６】
本発明の実施形態を明示するために、図示する添付図面を参照しながら以下に記載する。
【図面の簡単な説明】
【００９７】
【図１】本発明に係る流体移送装置の正面図である。
【図２】流体移送システムの一部として用いる本発明に係る流体移送装置の概略図である。
【図３】本発明に係る流体移送装置の代替的な実施形態の正面図である。
【図４】図３に示す装置の底面図である。
【図５】流体移送システムの一部として用いる図３に示す流体移送装置の概略図である。
【図６】代替的な実施形態に係る流体移送装置の使用時の概略図である。
【発明を実施するための形態】
【００９８】
図１及び図２は、流体移送装置10を示すものである。流体移送装置10は、本体部12及び流体インジェクタ14を備える。
【００９９】
本体部12は、流体入口12a及び流体出口12bを備える。本明細書内に記載する実施形態において、流体入口12aは本体部12の下端に向けて配置されており、流体出口12bは本体部12の上端に向けて配置されている。後述するように、使用時において流体出口12bは吸引装置16に接続される。流体は吸引装置16により、装置10の本体部12に吸い上げられ、流体入口12aから本体部12を通り、流体出口12bから排出される。従って、流体出口12bは、吸引装置16に接続可能である。流体は、吸引装置16のタンク16aに貯蔵される。
【０１００】
本明細書に記載する実施形態において、本体部12は、閉鎖上面12cと開放下部を有する円柱形状を備える。本体部12は、その長手方向軸線11と直交する平面内で円形断面を有する。本体部の寸法は、125 mm〜1000 mmである。本体部の寸法は、250 mm〜900 mmである。しかしながら、本体部の寸法は、装置の使用に要する任意の寸法とすることができる。
【０１０１】
本体部12は、長手方向軸線11を備える。流体出口12bは、閉鎖上面12cの開口部である。本体部12の下部は、流体入口12aを画定する。本体部12は、中空である。本明細書に記載する実施形態において、本体部12は、金属から形成される。しかしながら、本体部12は、圧縮によりシルト物質等を形成することができ、流体入口12aと流体出口12bとの間にて流体を吸い上げる力に耐え得る、任意の適切な材料から構成することができる。すなわち、本体部12は、吸引装置16の操作時においても潰されることのない材料から構成されるべきである。本体部12は、適切な剛性とすることができる。
【０１０２】
本体部12の流体出口12bは、吸引装置16に接続するコネクタ12dを備える。本明細書に記載する実施形態において、コネクタ12dは、本体部12の上面12cに溶接される金属コネクタである。流体出口12bのコネクタ12dは、ホース18と接続するよう構成される。ホース18は、可撓性とし、ポリ塩化ビニル（ＰＶＣ）、ゴム、ウレタン又はポリプロピレンから形成することができる。ホース18は、強化金属高密度ポリエチレン（ＨＤＰＥ）であってもよい。 
【０１０３】
後述するように、流体インジェクタ14は圧縮流体源20に接続可能であり、使用時において、流体インジェクタ14は圧縮流体を装置10に移送する。本明細書に記載する実施形態において、流体インジェクタ14は、圧縮流体を本体部12内部に移送するよう操作可能である。しかしながら、流体インジェクタ14は、本体部12又は装置10の他の部分に圧縮流体を移送するよう操作可能である。
【０１０４】
流体インジェクタ14は閉鎖上面12cに配置され、その上面12cの開口部（図示せず）を通じて圧縮流体を本体部に注入する。流体インジェクタ14は、圧縮流体源20を接続させるためのコネクタ14aを有する。コネクタ14aは、ゴムから形成される。しかしながら、圧縮流体を移送する任意のコネクタを用いることができる。コネクタは、本体部12に固定して取り付けられる。
【０１０５】
圧縮流体源20は、ホース22によりコネクタ14aに接続される。圧縮流体源20をコネクタ14aに解放的に接続させることができる。
【０１０６】
本明細書に記載する実施形態において、圧縮流体源20は、圧縮気体である。しかしながら、任意の圧縮流体を用いることができる。圧縮流体は、空気及び水の混合物であってもよい。
【０１０７】
流体インジェクタ14は、圧縮流体（圧縮気体）を本体部12に移送するように構成される。流体インジェクタは、圧縮流体（圧縮気体）のジェットを本体部12に移送する。後述するように、装置10は本体部12の流体入口12aに向けて配置される第２流体インジェクタを備える。このような構成において、装置10は、第１及び第２流体インジェクタを備える。
【０１０８】
図２を参照し、流体移送システム24の一部としての流体移送装置10の使用方法について詳述する。
【０１０９】
図２は、水頭30下にて、井戸26の底部に配置されたサブマージ物質28を含む井戸26を図示している。流体移送装置10は、ホース18及び22により吸引装置16に接続される。上述したように、ホース18は流体出口12bのコネクタ12dに接続され、ホース22は流体インジェクタ14のコネクタ14aに接続される。本明細書に記載する実施形態において、吸引装置16は、車両32の一部である。後述するように、車両32は、流体移送装置10を通じて流体を移送するための貯蔵タンク16aを備え、分散物質28を含む。車両32は、圧縮流体源20を含む。本明細書に記載する実施形態において、吸引装置は、ポンプ、圧縮機、あるいは、空気用ベンチュリ技術を用いるエアムーバー又はポンプである。
【０１１０】
本明細書に記載する実施形態において、物質28はシルトである。しかしながら、物質28は、クレイ、ヘドロ、軟らかい土、一般的なデブリ、砂利、廃棄物及びスラリーを含む１つ以上の群であってもよい。
【０１１１】
図２に示すように、流体移送装置10の本体部12は、井戸26の井戸穴26aと実質的に同一の寸法を有する。本体部12は円柱形状であり、本体部12の直径は井戸26の井戸穴26aの直径と実質的に同一又は、それよりもわずかに小さい。更に、本体部12は中空であることから、本体部12は、井戸26の底部にてほぼすべての物質28を包囲可能である。物質28を通じて本体12を押す力を要し得る。この力は、本体部12自体の重量から生じ得る。
【０１１２】
図２に示すように、流体移送装置10を所定位置に配置すれば、流体インジェクタ14及び吸引装置16の操作を行うことが可能となる。
【０１１３】
上述したように、流体インジェクタ14は、圧縮気体のジェットを本体部12に送入する。物質28上に圧縮気体を噴射すると、物質28が影響を受け、物質28はその周囲の水30と共に分散し、従って、物質28の分散が生じる。分散した物質は、流体入口12aを通じて本体部に吸い上げられ、流体出口12bを通じて、吸引装置16のタンク16aに流れる。
【０１１４】
吸引装置16及び流体インジェクタ14の操作は、物質28の全て又は少なくとも大部分が、井戸26から除去されるまで継続する。
【０１１５】
流体移送装置10の本体部12により物質28を包囲することで、実質的に分散された物質のみを流体移送装置10を通じて吸引装置16のタンク16aに移送する。水頭30の大部分が井戸26内に残留し、工程中、物質28及び水30のみが実質的に除去される。つまり、本発明に係る流体移送装置10は、井戸26内の物質28のみを実質的に除去可能とするものである。当該装置及び方法により、井戸26内の非常に少量の水30を除去する。
【０１１６】
図３〜図５は、本発明に係る代替的な実施形態を示す。図３〜図５に示す装置10’は、図１及び図２に示す装置10と同様であるが、いくつかの技術的差異があり、特に圧縮流体を装置10’により移送する方法が異なる。
【０１１７】
流体移送装置10’は、本体部12’及び流体インジェクタ14’を備える。
【０１１８】
本体部12’は、流体入口12a’及び流体出口12b’を有する。本明細書に記載する実施形態において、流体入口12a’は本体部12’の下端に向けて配置され、流体出口12b’は本体部12’の上端に向けて配置される。更に後述するように、使用時において流体出口12b’は吸引装置16に接続される。流体は吸引装置16により、装置10’の本体部12’に吸い上げられ、流体入口12a’から本体部12’を通り、流体出口12b’から排出される。従って、流体出口12b’は、吸引装置に接続可能である。流体は、吸引装置16のタンク16aに貯蔵される。
【０１１９】
本明細書に記載する実施形態において、本体部12’は、閉鎖上面12c’と開放下部12e’を有する円柱形状を備える。本体部12’は、その長手方向軸線12’’と直交する平面内で円形断面を有する。本体部の寸法は、125 mm〜1000 mmである。本体部の寸法は、250 mm〜900 mmである。しかしながら、本体部の寸法は、装置の使用に要する任意の寸法とすることができる。
【０１２０】
本体部12’は、長手方向軸線12’’を備える。本体部12’の上部は流体出口12b’を画定し、本体部12’の下部は流体出口12a’を画定する。本体部12’は、中空である。本明細書に記載する実施形態において、本体部12’は、金属から形成される。しかしながら、本体部12’は、圧縮によりシルト物質等を形成することができ、流体入口12a’と流体出口12b’との間にて流体を吸い上げる力に耐え得る、任意の適切な材料から構成することができる。すなわち、本体部12’は、吸引装置16の操作時においても潰されることのない材料から構成されるべきである。本体部12’は、適切な剛性とすることができる。
【０１２１】
本体部12’の流体出口12b’は、吸引装置16に接続するコネクタ12d’を備える。本明細書に記載する実施形態において、コネクタ12d’は、本体部12’の上面12c’に溶接される金属コネクタである。流体出口12b’のコネクタ12d’は、ホース18と接続するよう構成される。ホース18は、可撓性とし、ポリ塩化ビニル（ＰＶＣ）、ゴム、ウレタン又はポリプロピレンから形成することができる。ホース18は、金属強化高密度ポリエチレン（ＨＤＰＥ）であってもよい。
【０１２２】
後述するように、流体インジェクタ14’は圧縮流体源20に接続可能であり、使用時において、流体インジェクタ14’は圧縮流体を装置10’に移送する。本明細書に記載する実施形態において、流体インジェクタ14’は、圧縮流体を本体部12’の流体入口12a’内部の周辺領域に移送するよう操作可能である。しかしながら、流体インジェクタは、本体部12’又は装置10’の他の部分に圧縮流体を移送するよう操作可能である。
【０１２３】
図３及び図４に示すように、流体インジェクタ14’は、本体部12’の流体入口12a’を包囲する環状体である、図３及び図４に示すように、流体インジェクタ14’は、複数のノズル14a’を有し、各ノズル14a’は圧縮流体を装置10’に移送する構成とされる。図示するように、複数のノズル14a’は、環状体から離れる複数の異なる方向に圧縮流体を移送するように配置される。ノズル14a’は、ジェット14b’形状の圧縮流体を移送するよう構成される。  
【０１２４】
流体インジェクタ14’は、圧縮流体源20を接続させるためのコネクタ14c’を有する。コネクタ14c’は、長手方向軸線14d’を有する円柱状部材である。コネクタ14c’は、その長手方向軸線14d’が、本体部12’の長手方向軸線12’’に実質的に平行となるように配置される。
【０１２５】
本明細書に記載する実施形態において、流体インジェクタ14’は、該インジェクタを圧縮流体源に接続するための２つのコネクタ14e’及び14f’を備える。このような配置において、圧縮流体源は、装置10’を移送する前に混合させることができる。圧縮流体源は、圧縮気体源、高圧水源、あるいは圧縮気体及び圧縮水よりなる混合物の供給源であってもよい。コネクタ14c’は、２つのコネクタ14e’及び14f’を備えるＹ字型パイプである。２つのコネクタ14e’及び14f’は、圧縮流体用の入口を画定する。２つのコネクタ14e’及び14f’のうちの１つは、その不使用時において、すなわち１つの圧縮流体源のみを使用するときは、閉鎖させることができる。コネクタ14c’は、金属から形成される。
【０１２６】
圧縮流体源20は、ホース22によりコネクタ14c’に接続される。圧縮流体源20をコネクタ14c’に解放的に接続させることができる。
【０１２７】
後述するように、装置10’は本体部12の流体出口12bに向けて配置される第２流体インジェクタを備えることができる。このような構成において、装置10は、第１及び第２流体インジェクタを備える。
【０１２８】
図５を参照し、流体移送システム24の一部としての流体移送装置10’の使用方法について詳述する。
【０１２９】
図５は、水頭30下にて、井戸26の底部に配置されたサブマージ物質28を含む井戸26を図示している。流体移送装置10’は、ホース18及び22により吸引装置16に接続される。上述したように、ホース18は流体出口12b’のコネクタ12d’に接続され、ホース22は流体インジェクタ14’のコネクタ14c’に接続される。本明細書に記載する実施形態において、吸引装置16は、車両32の一部である。車両32は、流体移送装置10を通じて流体を移送するための貯蔵タンク16aを備える。車両32は、圧縮流体源20を含む。本明細書に記載する実施形態において、吸引装置は、ポンプ、圧縮機、あるいは、空気用ベンチュリ技術を用いるエアムーバー又はポンプである。
【０１３０】
本実施形態において、物質28はシルトである。しかしながら、物質28は、クレイ、ヘドロ、軟らかい土、一般的なデブリ、砂利、廃棄物及びスラリーを含む１つ以上の群であってもよい。
【０１３１】
図５に示すように、流体移送装置10’の本体部12’は、井戸26の穴26aよりもかなり小さい。本体部12は円柱形状であり、本体部12’の直径は井戸26の穴26aの直径よりも実質的に小さい。
【０１３２】
図示するように、操作時において流体移送装置10’は、水頭30を通じて、本体部12の流体入口12a’が、物質28と接触する、あるいは物質28の内部に沈むまで井戸26内に降下される。
【０１３３】
図５に示す位置に流体移送装置10’を配置すれば、流体インジェクタ14’及び吸引装置16の操作を行うことが可能となる。
【０１３４】
上述したように、流体インジェクタ14’は、圧縮気体（あるいは、圧縮気体及び圧縮水よりなる混合物）のジェットを本体部12’の流体入口12a’周りに送入する。物質28上に圧縮気体を噴射すると、物質28はその周囲の水30と共に分散する。続いて、分散した物質は、流体入口12a’を通じて本体部12’に吸い上げられ、流体出口12b’を通じて、吸引装置16のタンク16aに流れる。
【０１３５】
流体移送装置10’が井戸26周りで処理を行うことで、物質28を分散及び除去する。吸引装置16及び流体インジェクタ14’の操作は、物質28の全て又は少なくとも大部分が、井戸26から除去されるまで継続する。
【０１３６】
流体移送装置10の本体部12’により物質28を包囲することで、あるいは、本体部12’の流体入口12a’を物質28に隣接して配置することで、実質的に分散された物質のみを流体移送装置10’を通じて吸引装置16のタンク16aに移送する。水頭30の大部分が井戸26内に残留し、工程中、物質28及び水30のみが実質的に除去される。つまり、本発明に係る流体移送装置10’は、井戸26内の物質28のみを実質的に除去可能とするものである。当該装置及び方法により、井戸26内の非常に少量の水30を除去する。
【０１３７】
図６は、本発明に係る代替的な実施形態を図示しており、流体移送装置10’’は、構造物34（又はタンク）と共に用いることができる。図６に示す流体移送装置10’は、図１及び図２に示す流体移送装置10と実質的に同様であるが、唯一の差異は本体部12’’の形状が異なる点である。図示したように、流体移送装置10’’の本体部12’’は、実質的に直方体形状を有する。流体移送装置10’’の操作方法は、図１及び図２に示す流体移送装置10の操作方法と同様である。
【０１３８】
図６は、タンクなどの構造物34を図示しており、これは構造物34のチャンネル34aの下部に配置されるサブマージ物質28を含む。物質28は、水頭30下にサブマージされる。流体移送装置10’’は、ホース18及び22により吸引装置（図示せず）に接続される。上述したように、第１実施形態に関し、ホース18は流体出口のコネクタに接続され、ホース22は流体インジェクタのコネクタに接続される。本明細書に記載する実施形態において、吸引装置は、車両の一部である。車両は、流体移送装置10’’を通じて流体を移送するための貯蔵タンクを備える。車両は、圧縮流体源を含む。本明細書に記載する実施形態において、吸引装置は、ポンプ、圧縮機、あるいは、空気用ベンチュリ技術を用いるエアムーバー又はポンプである。吸引装置は、独立型であっても車両32の一部としてもよい。
【０１３９】
本実施形態において、物質28はシルトである。しかしながら、物質28は、クレイ、ヘドロ、軟らかい土、一般的なデブリ、砂利、廃棄物及びスラリーを含む１つ以上の群であってもよい。
【０１４０】
図６に示すように、流体移送装置10’’の本体部12’’は、構造物34のチャンネル34aに適合するように寸法される。つまり、本体部12’’の直方体形状が、チャンネル34aの形状の一部と実質的に適合する。更に、本体部12’’が中空であることから、本体部12’’は、チャンネル34aの底部にてほぼすべての物質28を包囲可能である。物質28を通じて本体12’’を押す力を要し得る。この力は、本体部12’’自体の重量から生じ得る。本体部12’’は、物質28に隣接して配置することができ、続いて、操作中に下側に降下させることができる。このような構成において、装置10’’の本体部12’’は、構造物34のチャンネル34aと「密嵌」する構成を有する。
【０１４１】
図６に示す位置に流体移送装置10’’を配置すれば、流体インジェクタ14’’及び吸引装置の操作を行うことが可能となる。
【０１４２】
上述したように、流体インジェクタ14’’は、圧縮気体のジェットを本体部12’’に送入する。物質28上に圧縮気体を噴射することで、物質28が影響を受け、物質28はその周囲の水30と共に分散する。分散した物質は、流体入口を通じて本体部12’’に吸い上げられ、流体出口を通じて、吸引装置のタンクに流れる。
【０１４３】
流体移送システム10’’は、骨組部材36（又はガントリー）を更に備える。骨組部材36は、流体移送装置10’’を拘留することができ、更に、流体移送装置10’’を昇降させることで構造物34に出し入れすることができる。骨組部材36は、構造物34に対して可動である。本明細書に記載する実施形態において、骨組部材36は、骨組部材36を構造物34の対応するトラック36bに沿って可動とするローラーホイール36aを備える。
【０１４４】
流体移送装置10’’は、構造物34のチャンネル34aに沿って遅い速度で操作され、物質28の全て又は少なくとも大部分が、チャンネル34aから除去されるまで継続する。
【０１４５】
流体移送装置10の本体部12’’により物質28を包囲することで、あるいは、本体部12’’の流体入口を物質28に隣接して配置することで、実質的に分散された物質のみを流体移送装置10’’を通じて吸引装置のタンクに移送する。水頭30の大部分がチャンネル34a内に残留し、工程中、物質28及び水30のみが実質的に除去される。つまり、本発明に係る流体移送装置10’’は、チャンネル34a内の物質28のみを実質的に除去可能とするものである。当該装置及び方法により、チャンネル34a内の非常に少量の水30を除去する。
【０１４６】
流体移送装置10, 10’, 10’’、吸引装置16及び圧縮流体源20は、全体として流体移送システムを提供する。
【０１４７】
流体移送装置10, 10’, 10’’及びその使用方法は、シルト又はヘドロ等の物質を構造物又は井戸から除去する迅速かつ効率的な手段を提供する。流体移送装置10, 10’, 10’’及びその使用方法は、物質自体を除去する前に物質上の水頭の除去を要しない。本発明に係る流体移送装置10, 10’, 10’’及びその使用方法は、既知の方法よりも少ない時間及び費用で実施することができる。
【０１４８】
更に、本発明に係る流体インジェクタ14, 14’により、硬化物質を粉砕及び分散させることができる。
【０１４９】
流体移送装置10, 10’, 10’’及びその使用方法は、300mを超える水平方向の長さ及び300mを超える垂直方向の深さにも対応可能である。
【０１５０】
本発明の範囲から逸脱することなく変更を行うことができる。例えば、本体部の長手方向軸線と直交する平面内における円形断面は、同一面の井戸穴、構造物又はチャンネルの形状と実質的に同一であってもよい。
【０１５１】
上述した本体部は、金属材料から形成されているが、プラスチック素材又はゴム素材から形成することもできることは言うまでもない。
【０１５２】
更に、上述した流体インジェクタは、本体部の内部又は本体部の流体入口の隣接部に圧縮流体を移送する構成とされているが、流体インジェクタは、圧縮流体を本体部の外部又は本体部周辺の任意の方向に移送する構成とすることもできる。
【０１５３】
更に、流体インジェクタは、圧縮流体のジェットを移送するものとして上述しているが、流体インジェクタは、圧縮流体の複数のジェットを移送する構成とすることもできる。同様に、装置は単一の流体インジェクタを有するものとして上述しているが、装置は２つ以上の流体インジェクタを備え、各流体インジェクタは、圧縮流体を装置に移送する構成とすることもできる。
【０１５４】
更に、物質は粉砕され、水中に分散する一般的固形材料として詳述されているが、物質は他の流体であってもよい。サブマージ物質は、水頭に限定されるものではないが、流体頭下に沈下するものであってもよい。
【０１５５】
「分散」とは、粉砕した物質と水が混合することを指すが、「エマルション」は、物質が流体であるときに準用することができる。
【０１５６】
更に、装置及びその使用方法を垂直に操作する場合、すなわち、サブマージ物質が水頭（又は他の流体）下にある場合について上述したが、装置及び使用方法は、水平方向に操作することで、垂直に配置された物質、例えば構造物、タンク等の側面に形成されたシルト又はヘドロを除去するために用いることができる。
【０１５７】
図５の装置10’は、水頭30下で操作されるものとして図示及び説明しているが、装置10’は、水頭なしに井戸内で操作することもできる。このような構成において、上述したように装置10’は物質28を分散又は乳化させ、装置10’を通じて物質28を吸引することができる。
【０１５８】
更に、装置10’の流体インジェクタ14’は、本体部12’の外部に配置されるものとして図示及び説明しているが、流体インジェクタ14’及びノズル14a’は、本体部12’の内部に配置することもできる。このような構成において、流体インジェクタ14’は、圧縮流体を本体部12’の内部から、流体入口12a’の内部及び周囲に移送する構成とすることができる。
【０１５９】
言うまでもなく、装置10’の流体インジェクタ14’は本体部12’の外部に配置することができるが、ノズル14a’は本体部12’の内部に配置するしてもよい。このような構成において、流体インジェクタ14’は、圧縮流体を本体部12’の外部から本体部12’の内部に移送する構成とすることができる。
【０１６０】
上述した装置10, 10’, 10’’は、単一の流体インジェクタ14, 14’, 14’’を備え、装置10, 10’, 10’’は、２つ以上の流体インジェクタ14, 14’, 14’’を備えることができる。例えば、装置10, 10’, 10’’は、第１流体インジェクタ及び第２流体インジェクタを備えることができ、第１流体インジェクタは本体部の上端に向けて配置することができ、第２流体インジェクタは本体部の下端に向けて配置することができる。各流体インジェクタは、流体又は圧縮流体の少なくとも１つのジェットを本体部に移送する構成とすることができる。第２流体インジェクタは、装置の本体部の内部又は外部に配置することができる。
【図１】
2018506667.tif 000003
【図２】
2018506667.tif 000004
【図３】
2018506667.tif 000005
【図４】
2018506667.tif 000006
【図５】
2018506667.tif 000007
【図６】
2018506667.tif 000008
【国際調査報告】
2018506667.tif 000009
2018506667.tif 000010
2018506667.tif 000011